(57)【要約】      （修正有）【課題】外力の作用下で動力を遮断することができ、また外力を失った時には自動的に元通りになるため、模造魚に応用することで外力に対抗する能力が向上し、水中以外での使用にも対応する伝動機構を提供する。【解決手段】伝動機構は、係合駆動部の第１伝動ギア１００と第２伝動ギア２００とからなる伝動ギアアセンブリを構成する。第２伝動ギアは、支柱５００に設けられ、支柱には、第１伝動ギアから離れた第２伝動ギアの側にリセットスプリング７００が設けられている。リセットスプリングは、上下の波状ギア３００、４００を介して第１伝動ギアと第２伝動ギアとが噛み合うように、第２伝動ギアを第１伝動ギアに向かって付勢する。【選択図】図１
0003228297.tif 000002
【実用新案登録請求の範囲】
【請求項１】
伝動ギアアセンブリからなる伝動機構であって、前記伝動ギアアセンブリは、噛み合って動く第１伝動ギアと第２伝動ギアとを備え、前記第２の伝動ギアは、支柱に設けられており、前記支柱には、前記第１伝動ギアから離れた前記第２伝動ギアの側にリセットスプリングが設けられており、前記リセットスプリングは、前記第１伝動ギアと前記第２伝動ギアとが噛み合うように、前記第２伝動ギアを前記第１伝動ギアに相対的に向かって動くようになっており、さらに、前記第２伝動ギアは、前記第１伝動ギアと前記第２伝動ギアとが相対的に離間した状態に保つことによって、外力の作用下において前記リセットスプリングが前記支柱に沿って軸方向に移動する作用力に打ち勝つことができることを特徴とする伝動機構。
【請求項２】
前記第１伝動ギアが前記第２伝動ギアの一方の側に第１波状ギアを備え、前記第２伝動ギアが前記第２伝動ギアの他方の側に第２波状ギアを備え、前記第１波状ギアは前記リセットスプリングの作用下にて前記第２波状ギアと噛み合っていることを特徴とする請求項１に記載の伝動機構。
【請求項３】
前記支柱が台座を備え、前記リセットスプリングのスリーブが前記台座と前記第２伝動ギアとの間に配置されていることを特徴とする請求項１または２に記載の伝動機構。
【請求項４】
前記支柱が前記第１伝動ギアと前記第２伝動ギアを貫通するように設けられ、前記第１伝動ギアと前記第２伝動ギアがそれぞれ前記支柱と連結して回転運動をし、また前記第１伝動ギアが前記支柱の軸上方に固定されていることを特徴とする請求項１〜３のいずれかに記載の伝動機構。
【請求項５】
さらに出力ギアアセンブリを含み、前記出力ギアアセンブリは、出力ロッドと出力ギアとを含み、前記第１伝動ギアはアクティブギアであり、前記第２伝動ギアはパッシブギアであり、前記出力ギアは前記第２伝動ギアと噛み合って連動し、前記出力ロッドは前記出力ギアに連結されており、前記出力ギアは前記出力ロッドを連動して回転させることができることを特徴とする請求項１〜４のいずれかに記載の伝動機構。
【請求項６】
第１駆動ギアおよび第２駆動ギアを含み、前記第１駆動ギアが駆動装置の出力軸上のギアと噛み合うために使用され、前記第２駆動ギアが前記第１伝動ギアと噛み合うために使用され、前記第１駆動ギアが前記第２駆動ギアと連結され、かつ同時に旋回運動することを特徴とする請求項１〜５のいずれかに記載の伝動機構。
【請求項７】
模造用カバーと生体模倣ムーブメントを備える模造魚であって、前記生体模倣ムーブメントは前記模造用カバー内に設置され、前記生体模倣ムーブメントはムーブメントの外殻とスイングアーム及び請求項１〜６のいずれかに記載の伝動機構を備え、前記伝動機構は前記ムーブメント外殻内に設置され、また前記伝動機構の出力ロッドは前記ムーブメント外殻を貫通して前記スイングアームに接続されていることを特徴とする模造魚。
【請求項８】
前記ムーブメント外殻は、前記ムーブメント外殻上端部に設けられたムーブメント上蓋と、前記ムーブメント外殻下端部に設けられたムーブメント下蓋を備え、前記ムーブメント外殻内に電池、制御基板と前記伝動機構を稼働するための駆動装置を備え、前記電池、制御基板、および前記駆動装置を前記ムーブメント上蓋および前記ムーブメント下蓋にそれぞれ固定するための取付溝を有することを特徴とする請求項７に記載の模造魚。
【請求項９】
前記ムーブメント外殻上に突起が設けられ、前記スイングアームのスイングアーム連結パーツ上には前記突起に対応した溝が設けられ、出力ギアアセンブリ上の出力ロッド両端が突出しており前記突起と前記溝とを連結することを特徴とする請求項７または８に記載の模造魚。
【請求項１０】
前記模造カバー開口部を設けており、前記開口部がジッパーまたはベルクロ（登録商標）を備え、前記開口部は、前記生体模倣ムーブメントを通すことができるだけの開口度を有することを特徴とする請求項７〜９のいずれかに記載の模造魚。
【考案の詳細な説明】
【技術分野】
【０００１】
この考案は、生体模倣玩具に関するものであり、特に伝動機構及び模倣魚に関するものである。
【背景技術】
【０００２】
社会の進歩や技術の発展に伴い、インタラクティブな玩具の需要が高まっており、自然界に生息する動物の姿や動きを模した玩具が多く出始めており、玩具のインタラクティブ性や面白さが増している。 子供やペットのためにインタラクティブ性の高いおもちゃを選ぶ人がより増えている。
【０００３】
現在、市場に出回っている魚を模倣した電動玩具のほとんどは、水の中で泳ぐ魚を模倣し、水中で使用されている玩具であり、水から離れた状態の魚の激しく飛び跳ねる動きを模倣することはできない。
【０００４】
電動模倣魚玩具にはいくつかの動作原理があり、そのすべてが明らかな長所と短所を有する。
【０００５】
ギア駆動式の模倣魚玩具は、DCモータが前後に数個のギアを駆動することで、魚の尾を前後に揺らす。この模倣魚玩具の欠点は、内部のギアが、魚の尾が揺れる時に強い外力を受けるとスリップしたり、歯が欠けたりしやすい。
【０００６】
偏心輪式の模倣魚玩具は、直流モータで偏心輪を一方向に回転させ、偏心輪がラックを往復動用に駆動し、ラックが丸ギアを往復動駆動することで、尾部の往復動を実現する。この模倣魚玩具の欠点は、尾の振りの振幅がラックの長さによって制限され、振り幅が大きいと長いラックが必要となり、玩具の大きさも大幅に大きくなり、また強い外力の干渉を受けるとラックが破損しやすい。
【０００７】
電磁石式の模倣魚玩具は、電磁石の原理を利用して、コイルに通電すると磁力が発生し、それが鉄製のスイングアームを引き寄せ、通電を切ると磁力が消え、スイングアームが元の位置に戻っていくことで魚の尾の往復振り運動を実現する。この模倣魚玩具の欠点は、振幅および振る力の小ささ、長時間駆動時の温度が高い。
【先行技術文献】
【特許文献】
【０００８】
【特許文献１】特願２０００−３１７１６３号
【特許文献２】実用新案登録第３０７６７０８号
【考案の概要】
【考案が解決しようとする課題】
【０００９】
水面外で使用される模造魚は、尾が振れる際に外力で阻害されることが多く、外力が加わることで尾を振っている最中の模造魚は容易に損傷し、例えば、幅・力が大きい状態で尾が振れている最中に、子供が突然尾を掴んで外力を加えることで魚の尾が動かせなくなり、結果として模造魚を損傷させることがある。
【００１０】
前記複数の水中で使用する模造魚は、前記欠点により外力に対する抵抗力が弱く、非水中での使用には適していない。
【００１１】
本考案の目的は、模造魚が水中から出た状態で大きく激しい振動している際に、外力に対する抵抗力が弱いという技術的な問題を解決するための伝動機構及び模造魚を提供することにある。
【課題を解決するための手段】
【００１２】
この考案によって提供される伝動機構は、伝動ギアアセンブリからなり、前記伝動ギアアセンブリは、お互いにかみ合う第１伝動ギアと第２伝動ギアとから構成される。
【００１３】
前記第２伝動ギアは支柱上に設置されており、前記第１伝動ギアから離れた前記第２伝動ギアの側部にリセットスプリングを設けていることを特徴とする。さらに、前記第２伝動ギアは、前記第１伝動ギアと前記第２伝動ギアとが相対的に離間した状態に保たれることによって、外力の作用下においてリセットスプリングが支柱にそって軸方向に移動する作用力に打ち勝つことができる。
【００１４】
さらには、前記第１伝動ギアの前記第２伝動ギアと向き合う面には第１波状ギアが設けられており、前記第２伝動ギアの第２伝動ギアと向き合う面には第２波状ギアが設けられている。
【００１５】
前記第１波状ギアと前記第２波状ギアは前記リセットスプリングの作用下においてかみ合って連結する。
【００１６】
さらには前記支柱上には台座が設けられ、リセットスプリングのスリーブは前記台座と前記第２伝動ギアの間に設けられる。
【００１７】
さらには、前記支柱は前記第１伝動ギアおよび前記第２伝動ギアを貫通するように設置されており、前記第１伝動ギアおよび前記第２伝動ギアはそれぞれ前記支柱に回転可能に連結されており、さらに前記第１伝動ギアは前記支柱に軸方向に固定されている。
【００１８】
さらには、出力ギアアセンブリを構成し、前記出力ギアアセンブリは、出力ロッドと出力ギアから構成されている。
【００１９】
前記第１伝動ギアはアクティブギアであり、前記第２伝動ギアはパッシブギアであり、前記出力ギアと前記第２伝動ギアは噛み合って駆動し、前記出力ロッドは前記出力ギアに連結され、前記出力ギアは出力ロッドと連動して回転運動させることができる。
【００２０】
また、駆動ギアアセンブリをさらに含み、前記駆動ギアアセンブリは第１駆動ギアおよび第２駆動ギアを含み、前記第１駆動ギアは前記駆動装置の出力軸上のギアと噛み合っており、前記第２駆動ギアは前記第１伝動ギアと噛み合っており、また前記第１駆動ギアは前記第２駆動ギアと連結し同期して回転運動をする。
【００２１】
この考案はまた、模造魚カバーと生体模倣ムーブメントからなる模造魚を提供し、前記生体模倣ムーブメントは、前記模造用カバー内にセットされる。
【００２２】
前記生体模倣ムーブメントは、ムーブメント外殻、スイングアーム、前記伝動機構とからなる。
【００２３】
前記伝動機構を前記ムーブメント外殻内に設置し、前記伝動機構の出力ロッドを前記伝動外殻を貫通して前記スイングアームに連結する。
【００２４】
さらに、前記ムーブメント外殻は、前記ムーブメント外殻の上端に設けられたムーブメント上蓋と、前記ムーブメント外殻の下端に設けられたムーブメント下蓋を含む。
【００２５】
前記ムーブメント外殻内には電池、制御基板と前記伝動機構を駆動するための駆動装置が設けられている。また前記ムーブメント上蓋及び前記下ムーブメント下蓋にはそれぞれ前記電池、制御基板及び駆動装置を固定するための取付溝が設けられている。
【００２６】
さらに、前記ムーブメント外殻には突起が設けられ、前記スイングアームの連結部品には前記突起に合わせた溝が設けられており、前記出力ギアアセンブリの出力ロッドの上端部及び下端部が前記溝に連結されている。
【００２７】
さらに、模倣用カバーは開口部があり、開口部にジッパーまたはベルクロ（登録商標）を備え、前記開口部は、前記生体模倣ムーブメントを通過させることができるだけの開口度を有する。
【考案の効果】
【００２８】
この考案によって提供される伝動機構は、他の外力から影響を受けない際に、第１伝動ギアと第２伝動ギアとはリセットスプリングの作用下で噛み合い、それらの間の動力伝達を実現する。比較的大きな外力の押し出し作用下において、例として児童が模造魚を握りしめて外力の押し出し作用を実現した際、大きな外力の押し出し作用のため、この時第１伝動ギアと第２伝動ギアの間は押し出し作用によって、伝動を実現するために大きな抵抗を克服する必要があり、さらには抵抗作用のために、第１伝動ギアと第２伝動ギアの両者のうちパッシブギアは、動力を出せなくなる。両者のうちパッシブギアが動力を出せない時に、両者のうちアクティブギアが伝動機構の作用下において依然として回転運動をする、この時に、第２伝動ギアは支柱に相対しリセットスプリングの作用力に打ち勝ち移動することができる。したがって、両者のうちアクティブギアを回転させることができる場合には、アクティブギアと第２伝動ギアとの間の距離を変更することができるので、アクティブギアとパッシブギアとが滑りやすい形で収まることによって、すなわち、アクティブギアを依然として回転させることができて、かつ外力の作用によって伝動機構と駆動機構とが損傷を受けることがない。
【００２９】
外力が消失した際に、リセットスプリングの作用により、２つの伝動ギアは元の位置に戻り、駆動状態を維持する。
【００３０】
伝動機構にリセットスプリングと支柱を増設することで、伝動機構の外力に対する抵抗力が向上し、それに対応した該当駆動機構を応用した生体模倣玩具の外力抵抗能力が向上し、非水中での使用という需要を満足させることができる。
【００３１】
なお、この考案の具体的な実施手段または既存技術における技術的解決策をより明確に説明するために、以下にて、具体的な実施方法又は既存技術の説明で使用した添付図を簡単に説明する、以下の説明で使用する添付図は、本願考案方法の一部であり、この分野の一般技術者の側からすると、創造的な労力をかけることがなく、これらの添付図に基づいて他の添付図を得ることができることは明らかである。
【図面の簡単な説明】
【００３２】
【図１】本考案の実施形態例として提供する伝動機構の構成を模式的に示す図である。
【図２】本考案の実施例で提供される伝動機構のもう1種の構造を示す図である。
【図３】本考案の実施例として提供される模造魚の構造を示す模式図である。
【図４】図３に示した模造魚の生体模倣ムーブメントを示す分解斜視図である。
【図５】図３で示した模造魚の生体模倣ムーブメントの内部構造を示す模式図である。
【考案を実施するための形態】
【００３３】
以下に実施例と併せて考案の技術的スキームを明確かつ完全に説明するが、記載された実施形態は、この実用新案の実施形態の一部であって、全てではないことが明らかである。本件考案の実施例に基づき、当分野の一般技術者が創作的労務を行わずに得た他の実施例は、すべて本件考案の保護範囲に該当する。
【００３４】
図１に示すように、この考案は、伝動ギアアセンブリからなる伝動機構を提供し、前記伝動ギアアセンブリは、噛み合って駆動する第１伝動ギア１００および第２伝動ギア２００からなる。
【００３５】
前記第２伝動ギア２００は前記支柱５００上に設けられ、前記支柱５００は前記第１伝動ギア１００から離れた前記第２伝動ギア２００の側に設けられたリセットスプリング７００を有する。前記リセットスプリング７００は、前記第１伝動ギア１００と前記第２伝動ギア２００とが噛み合って動くように、前記第２伝動ギア２００を前記第１伝動ギア１００に向かって移動させる傾向を有している。さらに、前記第２伝動ギア２００は、前記第１伝動ギア１００と前記第２伝動ギア２００とが相対的に距離を保つように、外力作用下においてリセットスプリング７００の作用力に打ち勝って、前記支柱５００の軸方向に沿って移動することが可能である。
【００３６】
いくつかの実施形態では、伝動機構の伝動ギアアセンブリは、外力の作用下で動力の伝達を遮断することができ、外力が作用しないときに動力の伝達を自動的に復元することができる。
【００３７】
第２伝動ギア２００が外力を受けると、第２伝動ギア２００の回転が停止し、それによって第１伝動ギア１００が第２伝動ギア２００に対して相対的に駆動し、第２伝動ギア２００がリセットスプリング７００を下方に圧迫し、第２伝動ギア２００が前記支柱５００に沿って第１伝動ギア１００から離れる方向に移動し、第１伝動ギア１００と第２伝動ギア２００の駆動が遮断される。
【００３８】
上記の実施形態に基づいて、さらに、前記第１伝動ギア１００は前記第２伝動ギア２００と向き合う側に第１波状ギア（上波状ギア）３００を備え、前記第２伝動ギア２００は前記第１伝動ギア１００の面に第２波状ギア（下波状ギア）４００を備え、前記第１波状ギア３００は、前記リセットスプリング７００の作用によって前記第２波状ギア４００と噛み合い連結している。
【００３９】
第２伝動ギア２００が外力により回転を停止しているときには、リセットスプリング７００が下波状ギア４００を圧迫することによって生じる上波状ギア３００との間の摩擦力よりも抵抗力が大きく、下波状ギア４００が下降してリセットスプリング７００を圧迫する。
【００４０】
外力が無くなるか、またはリセットスプリング７００による摩擦よりも小さくなると、リセットスプリング７００は、第２伝動ギア２００を支柱５００に沿って上方に移動させ、上波状ギア３００および下波状ギア４００を再び緊密に噛み合わせて回転させる。
【００４１】
前記実施形態のベースボックスに基づいて、さらに、前記支柱５００は台座６００とセットされ、前記リセットスプリング７００は、前記台座６００と前記第２伝動ギア２００との間に配置されている。
【００４２】
前記実施形態のベースボックスに基づいて、さらに、前記支柱５００は、前記第１伝動ギア１００および前記第２伝動ギア２００を貫通し、前記第１伝動ギア１００および前記第２伝動ギア２００は、それぞれ前記支柱５００に回転可能に連結され、さらに前記第１伝動ギア１００は前記支柱５００の軸上に上方に固定されている。
【００４３】
第２駆動ギア２００にはガイド孔が設けられ、支柱５００上のリセットスプリング７００が台座６００に支えられることによって第２伝動ギア２００を支柱５００上で移動させる。第２伝動ギア２００が外力により回転を停止しているときには、リセットスプリング７００が下波状ギア４００を圧迫することによって生じる上波状ギア３００との間の摩擦力よりも抵抗力が大きく、下波状ギア４００が下降してリセットスプリング７００を圧迫する。
【００４４】
また、リセットスプリング７００の下端は、ムーブメント外殻１８０上などの他の場所に支えられてもよく、第１伝動ギア１００および第２伝動ギア２００が支柱５００上に設けられ、第１伝動ギア１００が支柱５００に固定され、それによって第１伝動ギア１００が支柱５００と同期して回転し、または第１伝動ギア１００が支柱５００の軸方向にのみ固定され、第１伝動ギア１００が支柱５００に対して相対的に回転するようにしても良い。
【００４５】
図２に示すように、上記の実施形態に基づいて、出力ギアアセンブリをさらに含み、前記出力ギアアセンブリは、出力ロッド９００と出力ギア８００とから構成される。
【００４６】
前記第１伝動ギア１００はアクティブギアであり、前記第２伝動ギア２００はパッシブギアであり、前記出力ギア８００は前記第２伝動ギア２００と噛み合って駆動し、前記出力ロッド９００は前記出力ギア８００に連結されており、前記出力ギア８００は前記出力ロッド９００を回転運動させることができる。
【００４７】
いくつかの実施例では、伝動機構の伝動ギアアセンブリの第２伝動ギア２００は出力ロッド９００を出力ギア８００を介して回転させることができる、それによって出力ロッド９００に接続されたスイングアーム１３０が出力ロッド９００と共に回転し、スイングアーム１３０をスイングさせることができる、これを模造魚に適用した場合、魚が水から離れた際の激しいスイングをシミュレートすることができる。
【００４８】
第２伝動ギア２００は支柱５００に沿って上下動しながら、常に出力ギア８００と噛み合うことができる、それによって第２伝動ギア２００の厚みまたは出力ギア８００の厚みが第２伝動ギア２００の変位量よりも小さくならないようになっている。
【００４９】
上記の実施例に基づいて、さらに、駆動ギアアセンブリを構成し、前記駆動ギアアセンブリは第１駆動ギア１１０および第２駆動ギア１２０を含み、前記第１駆動ギア１１０は駆動装置２５０の出力軸上のギアと噛み合っており、前記第２駆動ギア１２０は前記第１伝動ギア１００と噛み合っており、さらに前記第１駆動ギア１１０は前記第２駆動ギア１２０に連結され同期回転するように構成される。
【００５０】
いくつかの実施例では、駆動装置２５０はモータであってもよく、モータの出力軸上のギアは第１駆動ギア１１０と係合し、第２駆動ギア１２０は第１駆動ギア１１０の下端にセットされ、第１駆動ギア１１０は第２駆動ギア１２０を連動して回転させ、第２駆動ギア１２０はその回転に追従するように第１伝動ギア１００を回転させ、それにより出力ギア８００に動力を伝達するようになっている。
【００５１】
一般に第１駆動ギア１１０と第２の駆動ギア１２０は同期回転可能であり、直径が比較的大きい第１駆動ギア１１０が駆動装置２５０に連結され、直径がやや小さい第２駆動ギア１２０を経由して動力が伝わることにより、スイングアーム１３０の旋回回数の低減が容易になる。
【００５２】
一般的な駆動ギアアセンブリと第１伝動ギア１００の両方にはギア軸が設けられていて、その取り付けを容易にする。
【００５３】
出力ロッド９００をよりよくスイングアーム１３０と連動して揺動させるために、さらに、前記出力ロッド９００の断面が矩形であり、矩形の出力ロッド９００が滑りにくく、スイングアーム１３０がよりよく出力ロッド９００の動きに追従できるように、出力ロッド９００の断面は三角形、五角形、六角形等であってもよい。
【００５４】
駆動ギアアセンブリと出力ギアアセンブリは駆動部２５０の出力を減速させることができ、減速するという目的を達成し、さらに伝動ギアアセンブリは動力伝達を遮断するという目的を達成する。
【００５５】
図３〜図５で示すように、本考案はまた、模造カバー２３０と生体模倣ムーブメント２４０とからなる、模造魚を提供し、前記生体模倣ムーブメント２４０は前記模造カバー２３０内にセットされ、前記生体模倣ムーブメント２４０はムーブメント外殻１８０とスイングアーム１３０と前記駆動機構とからなり、前記駆動機構は前記ムーブメント外殻１８０内にセットされ、また前記駆動機構の出力ロッド９００は前記ムーブメント外殻１８０を貫通して前記スイングアーム１３０に連結されている。
【００５６】
この模造魚は、魚が水から出た後の振り運動をシミュレートするために使用され、すなわち模造魚は水に入らず、防水機能は必要とされない。
【００５７】
模造魚の生体模倣ムーブメント２４０は模造魚カバー２３０内に設置されており、生体模倣ムーブメント２４０を揺動させることにより、模造魚カバー２３０は生体魚が水中から離れた際に大きく激しく揺動する様子をシミュレートしている。
【００５８】
上記の実施例に基づいて、さらに、前記ムーブメント外殻１８０は前記ムーブメント外殻１８０の上端に設けられたムーブメント上蓋１９０と前記ムーブメント外殻１８０の下端に設けられたムーブメント下蓋２１０とから構成されている。
【００５９】
前記ムーブメント外殻１８０は、電池２２０、制御基板１４０および前記駆動機構を駆動するための駆動部２５０を備え、さらに前記ムーブメント上蓋１９０および前記ムーブメント下蓋２１０はそれぞれ内部に前記バッテリ２２０、前記制御基板１４０および前記駆動部２５０を固定するための取り付けスロットを備えている。
【００６０】
なお、電池２２０は乾電池２２０もしくは蓄電池２２０であってもよく、駆動装置２５０は直流モータであり、制御基板１４０は直流モータの正極と負極の切り替えや電流方向の切り替えにより、直流モータの正逆回転を実現し、これによりスイングアーム１３０の往復揺動を実現している。
【００６１】
模造魚カバー２３０は充填物の入った起毛コットン製で、起毛コットン製の模造魚カバーは一定の柔軟性を有しており、内部の生体模倣ムーブメント２４０の駆動下において、玩具尾部は往復揺動し、生魚の尾を振る動きのシミュレートを達成する。
【００６２】
ムーブメント外殻１８０上にセットされたムーブメント上蓋１９０及びムーブメント下蓋２１０は、電池２２０及び制御基板１４０がムーブメント外殻１８０内にセットされた後に、ムーブメント上蓋１９０とムーブメント下蓋２１０が設置される。
【００６３】
ムーブメント上蓋１９０及びムーブメント下蓋２１０内には複数の取付スロットが設けられており、電池２２０、制御基板１４０及び駆動装置２５０は取付スロットに設置され、それによって電池２２０、制御基板１４０および駆動装置２５０がムーブメント外殻内で揺れ動かなくなる。
【００６４】
上記の実施例に基づいて、さらに、前記ムーブメント外殻１８０には突起が設けられ、前記スイングアーム１３０には前記突起に対応する溝を有するスイングアーム連結部品２６０が設けられ、前記出力ギアアセンブリの前記出力ロッド９００の両端には前記突起と前記溝とを接続する突起が設けられている。
【００６５】
いくつかの実施例では、ムーブメント外殻１８０上に突起が設置され、スイングアーム１３０のスイングアーム連結部品２６０上に溝が設置され、溝と突起は対応する。出力ギアアセンブリの出力ロッド９００の上端および下端がムーブメント外殻１８０上の突起部を貫通し、溝に接続され、それによって出力ロッド９００の回転後、スイングアーム連結部品２６０を連動して回転させ、スイングアーム１３０が回転する。
【００６６】
上記の実施例に基づいて、さらに、前記模造魚カバー２３０は開口部を備え、前記開口部はジッパーまたはベルクロ（登録商標）を備える；前記開口部は前記生体模倣ムーブメント２４０が通過させることができるだけの開口度を有する。
【００６７】
生体模倣ムーブメント２４０内の電池２２０の交換または電池２２０の充電を容易にするために、模造魚カバー２３０には開口部が設けられており、生体模倣ムーブメント２４０は模造魚カバー２３０内に挿入することができる。また生体模倣ムーブメント２４０内の電池２２０は、この開口部を介して充電することもできる。
【００６８】
上記実施例に基づいて、さらに、前記制御基板１４０は周囲の振動または音を感知するためのセンサ１５０と、前記電池２２０を充電するための充電ポート１６０と前記模造魚を制御するためのスイッチ１７０とを備えている。
【００６９】
制御基板１４０はＰＷＭ（パルス幅）変調によって直流モータの回転速度の制御を実現し、制御基板１４０は直流モータの電源供給時間を制御することでＤＣモータの回転時間の制御を実現し、これによりスイングアーム１３０の旋回角度の制御を実現し、センサ１５０は周囲の音や振動を感知し、信号を制御基板１４０に送信し、制御基板１４０は駆動部２５０の往復運動を制御する。この段落は現在既知の技術のものであり、これ以上は述べない。
【００７０】
制御基板１４０は、直流モータの電源電極、ＰＷＭ変調及び電源持続時間を制御して、異なる速度及び振幅で魚の複雑な尾を振る動きをリアルにシミュレートする。生体模倣ムーブメント２４０及び模造魚カバー２３０を分離させると、玩具をより柔らかく安全にし、さらに交換カバーは製品寿命をより長くし、資源の無駄を減らす。玩具は、水のない環境で魚の動きをシミュレートでき、使用範囲を拡張する。音又は振動センサ１５０は、玩具が外部環境の振動又は音に反応することを可能にし、玩具のインタラクション性を増加させる。
【００７１】
この考案が提供する伝動機構は他の外力を受けていないときに、第１伝動ギア１００と第２伝動ギア２００とがリセットスプリング７００の作用下で噛み合い、それらの間の動力伝達を実現する。より大きな外力の圧迫作用を受けた時、例として児童が生体模倣玩具を握りしめその外力の圧迫作用が生じたとき、比較的大きな外力の圧迫作用によって、この時第１伝動ギア１００と第２伝動ギア２００の間は外力の圧迫作用によって、駆動を達成するために比較的大きな抵抗を克服する必要がある。第１伝動ギア１００及び第２伝動ギア２００が抵抗作用により、両者のうちパッシブギアが動力を出力せず、両者のうちパッシブギアが動力伝達できない時、駆動装置２５０の作用により両者のうちアクティブギアは依然として回転することができる、このとき、第２伝動ギア２００は、リセットスプリング７００の支柱５００に対する作用力による移動に打ち勝つことができるので、両者のうちアクティブギアを回転させたときに、アクティブギアとパッシブギアとの間隔を変更することができ、アクティブギアとパッシブギアとがスリップの形で協力しあい、すなわち、アクティブギアが依然として回転したままでも、駆動装置２５０や伝動機構が外力によって損傷を受けることがないようになる。
【００７２】
外力がなくなっても、セットスプリング７００の作用によって、２つの伝動ギアはリセットされ駆動状態を維持することができる。
【００７３】
このように、伝動機構内にリセットスプリング７００と支柱５００を設けることにより、伝動機構の外力に対する抵抗力が向上し、伝動機構を用いた対応する生体模倣玩具は外力に対する抵抗力が向上し、非水中使用のニーズを満たしていることが分かる。
【００７４】
模造魚を玩具として使用すると、子供たちが遊ぶときに、模造魚に外力を加えやすい、伝動機構は効果的にこの問題を解決し、玩具の製品寿命を延ばす。
【００７５】
模造魚は、伝動機構を装着した後は、離水後に尾を大きく振る魚の動きをシミュレートすることができ、さらに外力の作用下において壊れにくい。
【００７６】
最後に、上記の実施例は、考案の技術的なスキームを例示することを意図しているに過ぎず、これを限定するものではないことに留意すべきであり、考案は、上記の実施例を参照して詳細に説明されているが、この分野の一般技術者には理解されるべきである、前述の実施例に記載された技術的解決策を修正することも、技術的特徴の一部または全部を同等のものに置換することも可能であり、そのような修正または置換は、技術的解決策の本質を本考案の各実施例の技術範囲から排除するものではない。
【符号の説明】
【００７７】
１００  第１伝動ギア
２００  第２伝動ギア
３００  上波状ギア（第１波状ギア）
４００  下波状ギア（第２波状ギア）
５００  支柱
６００  台座
７００  リセットスプリング
８００  出力ギア
９００  出力ロッド
１１０  第１駆動ギア
１２０  第２駆動ギア
１３０  スイングアーム
１４０  制御基板
１５０  センサ
１６０  充電ポート
１７０  スイッチ
１８０  ムーブメント外殻
１９０  ムーブメント上蓋
２１０  ムーブメント下蓋
２２０  電池
２３０  模造魚カバー
２４０  生体模倣ムーブメント
２５０  駆動装置
２６０  スイングアーム連結部品
【図１】
0003228297.tif 000003
【図２】
0003228297.tif 000004
【図３】
0003228297.tif 000005
【図４】
0003228297.tif 000006
【図５】
0003228297.tif 000007
【手続補正書】
【提出日】令和2年7月10日(2020.7.10)
【手続補正１】
【補正対象書類名】実用新案登録請求の範囲
【補正対象項目名】全文
【補正方法】変更
【補正の内容】
【実用新案登録請求の範囲】
【請求項１】
伝動ギアアセンブリからなる伝動機構であって、前記伝動ギアアセンブリは、噛み合って動く第１伝動ギアと第２伝動ギアとを備え、前記第２伝動ギアは、支柱に設けられており、前記支柱には、前記第１伝動ギアから離れた前記第２伝動ギアの側にリセットスプリングが設けられており、前記リセットスプリングは、前記第１伝動ギアと前記第２伝動ギアとが噛み合うように、前記第２伝動ギアを前記第１伝動ギアに相対的に向かって動くようになっており、さらに、前記第２伝動ギアは、前記第１伝動ギアと前記第２伝動ギアとが相対的に離間した状態に保つことによって、外力の作用下において前記リセットスプリングが前記支柱に沿って軸方向に移動する作用力に打ち勝つことができることを特徴とする伝動機構。
【請求項２】
前記第１伝動ギアが前記第２伝動ギアの一方の側に第１波状ギアを備え、前記第２伝動ギアが前記第２伝動ギアの他方の側に第２波状ギアを備え、前記第１波状ギアは前記リセットスプリングの作用下にて前記第２波状ギアと噛み合っていることを特徴とする請求項１に記載の伝動機構。
【請求項３】
前記支柱が台座を備え、前記リセットスプリングのスリーブが前記台座と前記第２伝動ギアとの間に配置されていることを特徴とする請求項１または２に記載の伝動機構。
【請求項４】
前記支柱が前記第１伝動ギアと前記第２伝動ギアを貫通するように設けられ、前記第１伝動ギアと前記第２伝動ギアがそれぞれ前記支柱と連結して回転運動をし、また前記第１伝動ギアが前記支柱の軸上方に固定されていることを特徴とする請求項１〜３のいずれかに記載の伝動機構。
【請求項５】
さらに出力ギアアセンブリを含み、前記出力ギアアセンブリは、出力ロッドと出力ギアとを含み、前記第１伝動ギアはアクティブギアであり、前記第２伝動ギアはパッシブギアであり、前記出力ギアは前記第２伝動ギアと噛み合って連動し、前記出力ロッドは前記出力ギアに連結されており、前記出力ギアは前記出力ロッドを連動して回転させることができることを特徴とする請求項１〜４のいずれかに記載の伝動機構。
【請求項６】
第１駆動ギアおよび第２駆動ギアを含み、前記第１駆動ギアが駆動装置の出力軸上のギアと噛み合うために使用され、前記第２駆動ギアが前記第１伝動ギアと噛み合うために使用され、前記第１駆動ギアが前記第２駆動ギアと連結され、かつ同時に旋回運動することを特徴とする請求項１〜５のいずれかに記載の伝動機構。
【請求項７】
模造用カバーと生体模倣ムーブメントを備える模造魚であって、前記生体模倣ムーブメントは前記模造用カバー内に設置され、前記生体模倣ムーブメントはムーブメントの外殻とスイングアーム及び請求項１〜６のいずれかに記載の伝動機構を備え、前記伝動機構は前記ムーブメント外殻内に設置され、また前記伝動機構の出力ロッドは前記ムーブメント外殻を貫通して前記スイングアームに接続されていることを特徴とする模造魚。
【請求項８】
前記ムーブメント外殻は、前記ムーブメント外殻上端部に設けられたムーブメント上蓋と、前記ムーブメント外殻下端部に設けられたムーブメント下蓋を備え、前記ムーブメント外殻内に電池、制御基板と前記伝動機構を稼働するための駆動装置を備え、前記電池、制御基板、および前記駆動装置を前記ムーブメント上蓋および前記ムーブメント下蓋にそれぞれ固定するための取付溝を有することを特徴とする請求項７に記載の模造魚。
【請求項９】
前記ムーブメント外殻上に突起が設けられ、前記スイングアームのスイングアーム連結パーツ上には前記突起に対応した溝が設けられ、出力ギアアセンブリ上の出力ロッド両端が突出しており前記突起と前記溝とを連結することを特徴とする請求項７または８に記載の模造魚。
【請求項１０】
前記模造用カバーに開口部を設けており、前記開口部がジッパーまたは面ファスナーを備え、前記開口部は、前記生体模倣ムーブメントを通すことができるだけの開口度を有することを特徴とする請求項７〜９のいずれかに記載の模造魚。
【手続補正２】
【補正対象書類名】明細書
【補正対象項目名】００２７
【補正方法】変更
【補正の内容】
【００２７】
さらに、模倣用カバーは開口部があり、開口部にジッパーまたは面ファスナーを備え、前記開口部は、前記生体模倣ムーブメントを通過させることができるだけの開口度を有する。
【手続補正３】
【補正対象書類名】明細書
【補正対象項目名】００６６
【補正方法】変更
【補正の内容】
【００６６】
上記の実施例に基づいて、さらに、前記模造魚カバー２３０は開口部を備え、前記開口部はジッパーまたは面ファスナーを備える。前記開口部は前記生体模倣ムーブメント２４０が通過させることができるだけの開口度を有する。